(57)【要約】【課題】必要に応じ組み合わせられ、広い面積又は局部的にマッサージができ、適用性に優れた転動式マッサージ装置を提供する。【解決手段】１つの筒体１と、１つの外面被覆体２と、少なくとも１つのローラー体３とを含む。筒体１は直線円柱形状である。外面被覆体２は内側表面２１及び外側表面２２を有する。内側表面２１は筒体１の表面と固接される。外側表面２１は筒体１の両端間に対応する複数の凸体２３が間隔をあけて設けられ、周方向に隣り合う凸体２３は間に第１溝２４を有し、軸方向に隣り合う各凸体２３は間に第２溝を有する。ローラー体３の直径は筒体１と外側被覆体２とが結合した直径よりも大きい。ローラー体３の中央には外側被覆体２に被せることができるスリーブ３１が設けられる。スリーブ３１の凸体２３に対応する位置には凸体２３と接合可能な接合溝３２が設けられる。接合溝３２の側方には第１溝２４に嵌入可能な嵌合体３３が設けられる。【選択図】  図１
0003214338.tif 000002
【実用新案登録請求の範囲】
【請求項１】
直線円柱形状である１つの筒体と、
前記筒体の表面と固接される内側表面、及び、前記筒体の両端間に対応する複数の凸体が間隔をあけて設けられ、周方向に隣り合う前記凸体は間に第１溝を有する外側表面を有する１つの外面被覆体と、
前記筒体と前記外側被覆体とが結合した直径よりも直径が大きく、中央には前記外側被覆体に被せることができるスリーブが設けられ、前記スリーブの前記凸体に対応する位置には前記凸体と接合可能な接合溝が設けられ、前記接合溝の側方には前記第１溝に嵌入可能な嵌合体が設けられる少なくとも１つのローラー体と、
を含み、
前記ローラー体は、前記スリーブによって前記外側被覆体に嵌合されることで前記筒体の両端間の適当な位置に組み合わされて設けられ、前記ローラー体が前記外側被覆体に応じて回転しないようにさせることができることを特徴とする転動式マッサージ装置。
【請求項２】
前記筒体の両端にはグリップがそれぞれ設けられることを特徴とする請求項１に記載の転動式マッサージ装置。
【請求項３】
前記筒体の両端間における各前記第１溝は周方向の位置で対応し、且つ直線状のパスが形成されることを特徴とする請求項１又は２に記載の転動式マッサージ装置。
【請求項４】
前記ローラー体の各前記接合溝は１つの前記凸体に嵌合可能であることを特徴とする請求項１又は２に記載の転動式マッサージ装置。
【請求項５】
前記ローラー体の各前記接合溝は１つ以上の前記凸体に嵌合可能であることを特徴とする請求項１又は２に記載の転動式マッサージ装置。
【請求項６】
前記外面被覆体の軸方向に隣り合う各前記凸体は間に第２溝を有することを特徴とする請求項１又は２に記載の転動式マッサージ装置。
【請求項７】
前記外面被覆体の材料は前記筒体よりも軟らかい材料で製造されることを特徴とする請求項１に記載の転動式マッサージ装置。
【請求項８】
前記外面被覆体の材料はプラスチックフォームであることを特徴とする請求項７に記載の転動式マッサージ装置。
【請求項９】
前記ローラー体の材料は前記筒体よりも軟らかい材料で製造されることを特徴とする請求項１に記載の転動式マッサージ装置。
【請求項１０】
前記ローラー体の材料はプラスチックフォームであることを特徴とする請求項９に記載の転動式マッサージ装置。
【考案の詳細な説明】
【技術分野】
【０００１】
本考案は、転動式マッサージ装置に関する。
【背景技術】
【０００２】
従来のロール形状を備えた一般的なマッサージ装置は、硬質材料で製造された中空筒体を備えている。筒体の外側表面は、筒体よりも軟らかい材質の外層で被覆され、外層には複数の凸状粒が設けられている。ロールが転動して広い面積で人体表面と接触し、且つ凸状の粒が人体を押圧してマッサージすることができる。
【０００３】
上記の構造は、ロール上に有する複数の凸状粒が同時に人体と接触する故に、特定の位置における局部的なマッサージがしにくいという状況が生じる。特定の位置におけるマッサージ効果を向上させるため、現在はローラーが設けられたマッサージ装置がある。そのマッサージ装置は主に１つの直線状のグリップを備え、グリップには複数の軸受が固定設置され、軸受にはローラー体が接合される。ユーザーがグリップを把持する際に、ローラー体が人体の特定の位置（脊椎など）をマッサージすることで、狭い領域での局部的なマッサージ効果を得る。
【０００４】
しかし上記の構造では、人体の広い面積部位に対するマッサージは行えず、ローラー体とグリップとの接合部は固定されて移動できないため、適用性に欠ける。
【考案の概要】
【考案が解決しようとする課題】
【０００５】
本考案は、必要に応じて組み合わせることが可能な、適用性に優れた転動式マッサージ装置を提供することを目的としている。
【課題を解決するための手段】
【０００６】
本考案の転動式マッサージ装置は、１つの筒体と、１つの外面被覆体と、少なくとも１つのローラー体とを含む。
筒体は直線円柱形状である。
外面被覆体は内側表面及び外側表面を有する。内側表面は筒体の表面と固接される。外側表面は筒体の両端間に対応する複数の凸体が間隔をあけて設けられ、周方向に隣り合う凸体は間に第１溝を有する。
ローラー体の直径は筒体と外側被覆体とが結合した直径よりも大きい。ローラー体の中央には外側被覆体に被せることができるスリーブが設けられる。スリーブの凸体に対応する位置には凸体と接合可能な接合溝が設けられる。接合溝の側方には第１溝に嵌入可能な嵌合体が設けられる。
ローラー体は、スリーブによって外側被覆体に嵌合されることで筒体の両端間の適当な位置に組み合わされて設けられ、ローラー体が外側被覆体に応じて回転しないようにさせることができる。
【０００７】
さらに、筒体の両端にはグリップがそれぞれ設けられ、筒体の両端間における各第１溝は周方向の位置で対応し、且つ直線状のパスが形成される。
【考案の効果】
【０００８】
本考案はローラー体が装着されなくてもよく、手でグリップを把持して外面被覆体を転動させ、人体に対し広い面積でマッサージを行うことが可能であり、且つ凸体によって人体を押圧することでマッサージ効果が得られる。
【０００９】
本考案は、局部的にマッサージしたい時、適当な数のローラー体の接合溝の位置を外面被覆体の凸体の位置に対応させて、嵌合体を第１溝の位置に対応させて、ローラー体のスリーブを軸方向に筒体の両端間の適当な位置に嵌入させて位置を定めることができる。組み合わされた後のローラー体の端縁は、凸体の外側で径方向に突出することができ、ユーザーはグリップを把持して筒体を回転させることができる。ローラー体を筒体の動きに対応させて、ローラー体が人体の定めた部位に対して局部的にマッサージすることを可能とし、優れた局部的なマッサージ効果が得られる。
【図面の簡単な説明】
【００１０】
【図１】本考案の分解斜視図である。
【図２】本考案の筒体と外面被覆体とを組み合わせた状態の斜視図である。
【図３】本考案を用いて広い面積でマッサージを行う概略図である。
【図４】本考案の２つのローラー体を取り付けた状態の斜視図である。
【図５】図４のＡ−Ａに対応する断面図である。
【図６】本考案を用いて局部的にマッサージを行う概略図である。
【図７】本考案の４つのローラー体を取り付けた状態の斜視図である。
【考案を実施するための形態】
【００１１】
図１〜４を参照する。本考案は１つの筒体１、１つの外面被覆体２、２つのローラー体３を含み、筒体１は硬質材料で製造された直線円柱形状であり、筒体１の両端にはグリップ１１が接合され、グリップ１１は筒体１に対応して回転することができる。
【００１２】
外面被覆体２は筒体１よりも軟らかい材料で製造されるが、その材料はプラスチックフォーム又はその他の軟質材料でよい。外面被覆体２は内側表面２１と外側表面２２を備える。内側表面２１はビスコース又はその他の方法で筒体１の表面と固接される。外側表面２２は筒体１の両端間に対応する複数の凸体２３が間隔をあけて設けられる。周方向に隣り合う凸体２３は間に第１溝２４を有し、軸方向に隣り合う各凸体２３は間に第２溝２５を有する。各第１溝２４は周方向の位置で対応し、且つ直線状のパスが形成される。
【００１３】
２つのローラー体３の直径は筒体１と外側被覆体２が結合した直径よりも大きく、且つ筒体１よりも軟らかい材料で製造されるが、その材料はプラスチックフォーム又はその他の軟質材料でよい。ローラー体３の中央には外側被覆体２に被せることができるスリーブ３１が設けられる。スリーブ３１の各凸体２３に対応する位置には、凸体２３と適度な緊張で接合が可能な接合溝３２が設けられる。接合溝３２の側方には第１溝２４に嵌入可能な嵌合体３３を備える。ローラー体３は、スリーブ３１によって外側被覆体２に嵌合されることで筒体１の両端間の適当な位置に組み合わせて設けられ、且つ接合溝３２が凸体２３に嵌合されて、ローラー体３が外側被覆体２に応じて回転しないようにすることができる。
【００１４】
本考案はローラー体３が装着されなくてもよい。例えば図３に示すように手でグリップ１１を把持して外面被覆体２を転動させ、人体に対し広い面積でマッサージを行うことが可能であり、且つ凸体２３によって人体を押圧することでマッサージ効果が得られる。
【００１５】
図４〜６を参照する。本考案は、局部的にマッサージしたい時、適当な数（本実施例では２つ）のローラー体３の接合溝３２の位置を外面被覆体２の凸体２３の位置に対応させて、嵌合体３３を第１溝２４の位置に対応させて、ローラー体３のスリーブ３１を軸方向に筒体１の両端間の適当な位置に嵌入させる。本考案の筒体１の両端間における各第１溝２４の位置は直線状のパスに対応していてローラー体３の嵌入動作を容易にすることができ、且つスリーブ３１及び接合溝３２の表面と外面被覆体２及び凸体２３の外側表面２２とが適度な緊張で係合して位置を定めることができる。組み合わされた後のローラー体３の端縁は、凸体２３の外側で径方向に突出する。ユーザーはグリップ１１を把持して筒体１を回転させることができる。ローラー体３を筒体１の動きに対応させて、ローラー体３が人体の定めた部位に対して局部的にマッサージすることを可能とし、優れた局部的なマッサージ効果が得られる。なお、図中では人の脊椎へのマッサージが示されているが、その他の部位のマッサージも可能である。
【００１６】
本考案は必要に応じて適当な数のローラー体３を組み合わせて設けることが可能である。例えば図７に示すように、４つのローラー体３を組み合わせて設けてもよく、ローラー体３の位置は必要に応じて設置してよく、人体の定めた部位を精確にマッサージすることができる。また本考案は、決まったユーザーが決まった部位を局部的にマッサージし、且つ広い面積でのマッサージを必要としない場合には、ローラー体３と外面被覆体２を組み合わせた後にビスコース又はその他の方法で固接して使用してもよい。
【００１７】
以上に述べたように、本考案はユーザーの必要に合わせて、広い面積でのマッサージ又は局部的なマッサージ効果を得ることが可能であり、マッサージ装置の適用性を大幅に向上させることができる。、
また本考案は第２溝を設けて凸体がブロック状を呈するようにできるが、第２溝を設けない場合はストリップ状の凸体でもマッサージ効果がある。
また本考案は外面被覆体又はローラー体の上に寝そべってマッサージを行ってもよく、それによりグリップを設ける必要性はなくなる。
また本考案のローラー体上の各接合溝は１つ以上の凸体に嵌合され且つ本考案が訴求する効果を有することも可能である。
上記の実施例は本考案を例示するものであって、本考案を限定するものではない。本考案の精神を逸脱しない均等な変更は本考案の範疇に入るものである。
【符号の説明】
【００１８】
１  筒体
１１  グリップ
２  外側被覆体
２１  内側表面
２２  外側表面
２３  凸体
２４  第１溝
２５  第２溝
３  ローラー体
３１  スリーブ
３２  接合溝
３３  嵌合体
【図１】
0003214338.tif 000003
【図２】
0003214338.tif 000004
【図３】
0003214338.tif 000005
【図４】
0003214338.tif 000006
【図５】
0003214338.tif 000007
【図６】
0003214338.tif 000008
【図７】
0003214338.tif 000009